(57)【要約】【課題】使用者がテレビジョン受像機の背面に回りこむことなく、容易に背面にテレビジョン設置された入出力端子にケーブルを接続することを可能とすること。【解決手段】テレビジョン本体２０１と、底板２０３と、テレビジョン本体２０１と底板２０３を連繋する柱２０２ａと柱２０２ｂと、テレビジョン本体２０１の背面に下向きに備え付けられた少なくとも一つの入出力端子２１１と、前記テレビジョン本体の背面に下向きに備え付けられた入出力端子の説明を意味する文字若しくは記号を記載した少なくとも一つの識別記号シール２１２と、底板２０３の上面に上向きに備え付けられた鏡２１３で構成するテレビジョン受像機。【選択図】図１
2006060356.tif 000002
【特許請求の範囲】
【請求項１】
テレビジョン受像機において、テレビジョン本体と、底板と、前記テレビジョン本体と前記底板を連繋する二つの柱と、前記テレビジョン本体の背面に下向きに備え付けられた少なくとも一つの入出力端子と、前記テレビジョン本体の背面に下向きに備え付けられた入出力端子の説明を意味する文字若しくは記号を記載した少なくとも一つの識別記号シールと、底板の上面に上向きに備え付けられた鏡で構成されることを特徴とするテレビジョン受像機。
【請求項２】
識別記号シールに上下に反転した文字若しくは記号が印字されていることを特徴とする請求項１記載のテレビジョン受像機。
【請求項３】
請求項１記載の発明の構成に加えて、前記テレビジョン本体の背面に下向きに少なくとも一つの電球と、前記テレビジョン本体の前面に少なくとも一つのスイッチを備えることを特徴し、前記スイッチにより前記電球の点灯のＯＮ／ＯＦＦの制御を行うことを特徴とする請求項１記載のテレビジョン受像機。
【請求項４】
スイッチがテレビジョン本体の前面の代わりに前記テレビジョン本体の背面に備え付けられていることを特徴とする請求項３記載のテレビジョン受像機。
【請求項５】
請求項１記載の発明において、識別記号シールをホログラムシールに置き換え、前記ホログラムシールは、ホログラム再生光又は反射回折光の角度が異なる複数の画像が記録されていることを特徴とする請求項１記載のテレビジョン受像機。
【請求項６】
請求項５記載のホログラムシールに記録される複数の画像において、少なくとも一つの画像には入出力端子の説明を意味する文字若しくは記号が記録され、少なくとも一つの画像には前記識別記号を上下に反転させた文字若しくは記号が記録されていることを特徴とする請求項５記載のテレビジョン受像機。
【発明の詳細な説明】
【技術分野】
【０００１】
本発明はテレビジョン受像機に関するものである。
【背景技術】
【０００２】
従来、入出力端子の表示方法としては、入出力端子の種類を表示した記号若しくは文字を印字する技術が知られている。テレビジョン受像機において、映像信号の入出力端子はテレビジョン受像機の背面に備え付けられていることが多い。しかし、使用者がテレビジョン受像機に映像信号の入出力を行うケーブルを入出力端子に取り付ける為には、テレビジョン受像機の背後にまわりこむ必要がある。このような問題を解決する方法として、特開平１０−２４７５３４号に記載されているように、テレビジョン受像機の背面にある取り付け部材に取り付けられた入出力端子の近傍に触覚で感知しうる凸部と凹部を設けることにより、使用者が背後に回りこむことなく入出力端子の種類を識別することができる装置の端子表示構造を示すものである。
【０００３】
図７は、前記特開平１０−２４７５３４号に記載された従来の装置の端子表示構造を示すものである。図７において、テレビジョン１００の背面１００ａにある取り付け部材１１１に取り付けられた端子群の近傍に触覚で感知し得る凸部と凹部を設けた。具体的には、ビデオ出力端子１２１、左チャンネル音声出力端子１２２、右チャンネル音声出力端子１２３の近傍に円形凸部１、上向き三角形凸部２、下向き三角形凸部３を設け、ビデオ入力端子１３１、左チャンネル音声入力端子１３２、右チャンネル音声入力端子１３３の近傍に、円形凹部４、上向き三角形凹部５、下向き三角形凹部６を設けた。
【特許文献１】特開平１０−２４７５３４号公報
【発明の開示】
【発明が解決しようとする課題】
【０００４】
しかしながら前記従来の構成では、例えば音声入力端子がどの形の凹部なのか凸部なのかを使用者が事前に把握する必要があり、簡易に設置接続が難しい。さらに、近年入出力端子の種類、数が増大する中で、従来の構成では凹凸の形の種類を増やす必要があり、使用者がその形を全て触覚で識別するのは困難である。
【０００５】
本発明の目的は、使用者が事前知識を必要とすることなく、容易に背面に設置された入出力端子にケーブルを接続することを可能とするテレビジョン受像機を提供することにある。
【課題を解決するための手段】
【０００６】
前記従来の課題を解決する為に、請求項１記載の発明のテレビジョン受像機は、テレビジョン本体と、底板と、テレビジョン本体と底板を連繋する２つの柱と、テレビジョン本体の背面に下向きに備え付けられた少なくとも一つの入出力端子と、テレビジョン本体の背面に下向きに備え付けられた入出力端子の説明を意味する文字若しくは記号を記載した少なくとも一つの識別記号シールと、底板の上面に上向きに備え付けられた鏡で構成される。
【０００７】
請求項２記載の発明のテレビジョン受像機は、請求項１記載の発明において、識別記号シールに上下に反転した文字若しくは記号が印字されている。
【０００８】
請求項３記載の発明のテレビジョン受像機は、請求項１記載の発明の構成に加えて、テレビジョン本体の背面に下向きに少なくとも一つの電球と、テレビジョン本体の前面に少なくとも一つのスイッチを備えることを特徴し、スイッチにより電球の点灯のＯＮ／ＯＦＦの制御を行う。
【０００９】
請求項４記載の発明のテレビジョン受像機は、請求項１記載の発明において、スイッチがテレビジョン本体の前面の代わりにテレビジョン本体の背面に備え付けられている。
【００１０】
請求項５記載の発明のテレビジョン受像機は、請求項１記載の発明において、識別記号シールをホログラムシールに置き換え、ホログラムシールはホログラム再生光又は反射回折光の角度が異なる複数の画像が記録されている。
【００１１】
請求項６記載の発明のテレビジョン受像機は、請求項５記載の発明において、ホログラムシールに記録される複数の画像において、少なくとも一つの画像には入出力端子の説明を意味する文字若しくは記号が記録され、少なくとも一つの画像には識別記号を上下に反転させた文字若しくは記号が記録されている。
【発明の効果】
【００１２】
以上のように、本発明のテレビジョン受像機によれば、使用者が事前知識を必要とすることなく、容易に入出力端子にケーブルを設置することを可能となる。
【発明を実施するための最良の形態】
【００１３】
以下本発明の実施の形態について、図面を参照しながら説明する。
【００１４】
（実施の形態１）
図１は本発明の実施の形態１におけるテレビジョン受像機の外観斜視図を示す。図１に示す如く、本発明におけるテレビジョン受像機は、テレビジョン本体２０１と、底板２０３と、テレビジョン本体２０１と底板２０３を連繋する柱２０２ａと柱２０２ｂと、テレビジョン本体２０１の背面に下向きに備え付けられた入出力端子２１１及び、識別記号２１２シール及び、電球２１４及び、スイッチ２１５ａと、テレビジョン本体２０１の前面に備え付けられたスイッチ２１５ｂと、底板の上面に上向きに備え付けられた鏡２１３で構成される。
【００１５】
入出力端子２１１は外部電子機器との映像や通信の信号の入出力を行う為のケーブルと接続する為の端子である。識別記号シール２１２は入出力端子２１１の機能を使用者に通知する為の記号若しくは文字が印字されている。鏡２１３は使用者がテレビジョンの前面から入出力端子２１１を見る為に用いられる。本実施例において、鏡２１３は使用者がテレビジョン受像機の前から鏡２１３を介して入出力端子２１１及び識別記号シール２１２を視認できる位置に設置する。電球２１４はテレビジョン本体２０１の背面の照射を行う。スイッチ２１５ａ、スイッチ２１５ｂは電球２１４のオン・オフの制御を行う。
【００１６】
図２はテレビジョン本体２０１の背面に備え付けられた、入出力端子２１１と識別記号シール２１２の正面図の一例である。図２において、入出力端子として、映像の入力を行うＤ４端子３０１、音声の入力を行う左チャンネル音声入力端子３０２、音声の入力を行う右チャンネル音声入力端子３０３が備え付けられている。上記入力端子に対する説明として、識別記号シール２１２ａに、Ｄ４端子３０１の説明としてＤ４、左チャンネル音声入力端子３０２の説明としてＬ、右チャンネル音声入力端子３０３の説明としてＲが印字されている。また識別記号シール２１２ｂには、識別記号シール２１２ａに記載されている文字を上下に反転した文字が印字されている。
【００１７】
以上の様に構成したテレビジョン受像機に対して使用者が入出力端子２１１に、ケーブルを接続する方法を、図３を用いて説明する。図３は図１を側面方向から見た断面図を示す。図３において、使用者がテレビジョン受像機の背後、つまり視点４０２からケーブルを入出力端子２１１に接続する場合は、使用者はまずスイッチ２１５ａを用いて電球２１４の電源をＯＮにして、テレビジョン受像機の背面を照射して接続をおこなう。その際、使用者は識別記号シール２１２ａを見て接続を行う。一方、使用者がテレビジョン受像機の前、つまり視点４０１からケーブルを入出力端子２１１に接続する場合は、使用者はまずスイッチ２１５ｂを用いて電球２１４の電源をＯＮにして、テレビジョン受像機の背面を照射して接続をおこなう。その際、使用者は鏡２１３に映し出された入出力端子２１１及び識別記号シール２１２ｂを見て接続を行う。この時、反転文字で印字された識別記号シール２１２ｂは、鏡２１３に映し出されることにより、反転文字を反転させた正規の識別記号として、使用者に読み取られることになる。
【００１８】
この様にして、使用者は、テレビジョン受像機の背後からだけでなく、テレビジョン受像機の前からも容易に、事前知識を必要とすることなく、入出力端子にケーブルを設置することを可能となる。なお、スイッチ２１５ａをテレビジョン本体２０１の前面、スイッチ２１５ｂの位置はテレビジョン２０１の背面の下向きに、備え付けてあるが、それに限るものではない。
【００１９】
なお、電球２１４をテレビジョン本体２０１の背面に下向きに備え付けてあるが、それに限るものではなく、入出力端子２１１、識別記号シール２１２を照射できる位置にあれば良い。
【００２０】
なお、鏡２１３を底板２０３の上面に備え付けてあるが、それに限るものではない。
【００２１】
なお、入出力端子の例としてＤ４端子、左チャンネル音声入力端子、右チャンネル音声入力端子を用いたが、それに限るものではなく、テレビジョン受像機が他の電子機器と信号の入出力を行う際に用いられる入出力端子全般のことを指す。
【００２２】
なお、テレビジョン受像機の前から鏡２１３を用いて入出力端子２１１及び識別記号シール２１２を視認できる位置に鏡２１３を設置したが、それに限るものではなく、テレビジョン受像機の後ろ、若しくは横から鏡２１３を用いて入出力端子２１１及び識別記号シール２１２を視認できる位置に鏡２１３を設置しても良い。
【００２３】
（実施の形態２）
本発明に係る実施の形態２のテレビジョン受像機は、識別記号シール２１２に、使用者の視点の位置により表示される識別記号が変化するホログラムシールを用いる。ホログラムシールとは薄膜の干渉を利用したシールであり、ホログラムシールを見る角度により、違う画像が表示される特徴を持つ。図４はテレビジョン受像機の側面図の拡大図であり、本実施の形態において、使用者の視点の位置がホログラムシール５１２の平面に対して、９０°未満であるか９０°以上であるか、で表示される識別記号が変化する。
【００２４】
図５に使用者からの視点５０１がホログラムシール５１２の平面に対して９０°以上であった場合に表示される入出力端子２１１とホログラムシール５１２の正面図の一例を示す。この場合、ホログラムシール５１２には識別記号５１２ａに示すように、正規の識別記号が表示される。
【００２５】
一方、図６に使用者からの視点５０１がホログラムシール５１２の平面に対して９０°未満であった場合に表示される入出力端子２１１とホログラムシール５１２の正面図の一例を示す。この場合、ホログラムシール５１２には識別記号５１２ｂに示すように、識別記号５１２ａに記載されている文字を上下に反転した識別記号５１２ｂが表示される。ここで、使用者がテレビジョン受像機の前、つまり図３でいう視点４０１からケーブルを入出力端子２１１に接続する場合は、反転文字で表示された識別記号５１２ｂは鏡２１３に映し出されることにより、反転文字を反転させた正規の識別記号として、使用者に読み取られることになる。
【００２６】
この様にして、使用者はテレビジョン受像機の背後からだけでなく、テレビジョン受像機の前からも容易に、事前知識を必要とすることなく、入出力端子にケーブルを設置することを可能となる。また、テレビジョン受像機の前から取り付けた場合も、後ろから取り付けた場合にも、使用者に対しては正規の識別記号だけが表示される為、読み間違いや混乱を防ぐことが可能となる。
【００２７】
なお、本実施の形態で、ホログラムシール５１２に表示される識別記号の種類を正規の識別記号と、反転した識別記号の２種類としたが、それに限るものではなく、また９０°を境に表示する識別記号を変化させたが、９０°に限るものではない。
【産業上の利用可能性】
【００２８】
本発明のテレビジョン受像機は、背面に設置された入出力端子へのケーブル接続を容易にすることを可能である為、テレビジョン受像機に限らず、モニタやパソコン等入出力端子が背面にある電子機器にも適用できる。
【図面の簡単な説明】
【００２９】
【図１】本発明の第１の実施の形態におけるテレビジョン受像機の斜視図
【図２】入出力端子と識別記号シールの正面図の一例を示す図
【図３】本発明の第１の実施の形態におけるテレビジョン受像機の側面図
【図４】本発明の第２の実施の形態におけるテレビジョン受像機の側面図の拡大図
【図５】本発明の第２の実施の形態におけるテレビジョン本体の背面に備え付けられた、入出力端子とホログラムシールの正面図の一例を示す図
【図６】本発明の第２の実施の形態におけるテレビジョン本体の背面に備え付けられた、入出力端子とホログラムシールの正面図の一例を示す図
【図７】従来の端子表示構造を用いたテレビジョン受像機の背面を示す斜視図
【符号の説明】
【００３０】
２０１    テレビジョン本体
２０２ａ    柱
２０２ｂ    柱
２０３    底板
２１１    入出力端子
２１２    識別記号シール
２１２ａ    識別記号
２１２ｂ    識別記号
２１３    鏡
２１４    電球
２１５ａ    スイッチ
２１５ｂ    スイッチ
３０１    Ｄ端子
３０２    左チャンネル音声入力端子
３０３    右チャンネル音声入力端子
４０１    視点
４０２    視点
５０１    視点
５１２    ホログラムシール
５１２ａ    識別記号
５１２ｂ    識別記号
【図１】
2006060356.tif 000003
【図２】
2006060356.tif 000004
【図３】
2006060356.tif 000005
【図４】
2006060356.tif 000006
【図５】
2006060356.tif 000007
【図６】
2006060356.tif 000008
【図７】
2006060356.tif 000009